(57)【特許請求の範囲】
【請求項１】
吸込口体本体の底面に吸込口を有する吸込口体を備えた電気掃除機において、
前記吸込口体本体の前側の下部に開口部を有する前壁と、
前記前壁の前面に、被清掃面またはゴミに当接することで前記被清掃面に対して斜め上方向あるいは上方向に移動可能とし、この移動により前記開口部を開閉するプレートと、を備え、
前記プレートが斜め上方向あるいは上方向に移動したときに、前記プレートと前記前壁の間に空気流入開口部を形成し、該空気流入開口部から流入した空気を下方に向かうように構成した
ことを特徴とする電気掃除機。
【請求項２】
前記プレートの両側面に設けられた縦長状のガイド溝と、
前記吸込口体本体の両側壁の前端部内側に設けられ、前記プレートの前記ガイド溝に遊嵌される突起と、を備えた
ことを特徴とする請求項１記載の電気掃除機。
【請求項３】
前記吸込口体本体の両側壁の前端部内側に設けられた縦長状のガイド溝と、
前記プレートの両側面に設けられ、前記吸込口体本体の前記ガイド溝に遊嵌される突起と、を備えた
ことを特徴とする請求項１記載の電気掃除機。
【請求項４】
前記プレートが斜め上方向に移動するものにおいて、
前記プレートの前面下部に前方から加わった力を受けて前記プレートに傾斜させるように作用するプレート傾斜ガイドを、前記吸込口体本体の両側壁の前端部内側に備えた
ことを特徴とする請求項１〜３のいずれか一項に記載の電気掃除機。
【請求項５】
前記プレート傾斜ガイドは、ＡＢＳ、ナイロンまたはエラストマーを単体または複数組み合わせて構成されている
ことを特徴とする請求項４記載の電気掃除機。
【請求項６】
前記プレートが上方向に移動するものにおいて、
前記プレートの下部に前方から加わった力を受けて、前記プレートを前記上方向に移動するように作用する屈曲部を、前記プレート下部に設けた
ことを特徴とする請求項１〜３のいずれか一項に記載の電気掃除機。
【請求項７】
前記プレートが上方向に移動するものにおいて、
前記吸込口体の前記前壁は、
前壁基部と、
前記前壁基部の前面から下方に延設された複数のバーからなるプレートガイドを備え、
前記プレートは、上端部に後方に張り出したシール部を備え、
前記空気流入開口部は、前記プレートが前記プレートとガイドに沿って上方に移動したときに、前記プレートの前記シール部が前記前壁から離間することにより形成され、前記空気流入開口部から流入した空気が、前記プレートガイドと前記プレートにより形成された空気孔を介して下方に向かうようにした
ことを特徴とする請求項１〜３、６のいずれか一項に記載の電気掃除機。
【請求項８】
前記吸込口体の前記底面の前記吸込口に臨んで回転自在に内装された回転ブラシを備えた
ことを特徴とする請求項１〜７のいずれか一項に記載の電気掃除機。
【発明の詳細な説明】
【技術分野】
【０００１】
本発明は、床面上でも絨毯面上でも効率よく掃除することが可能な吸込口体を備えた電気掃除機に関するものである。
【背景技術】
【０００２】
従来の電気掃除機は、吸込口体本体の前壁に、前面に突起を有するシール部材が後方に回動可能に取り付けられており、吸込口体の前進時に突起が床面に当接することにより、突起先端とシール部材下端の間に開口が生じ、後進時にこの開口が閉じる構成となっている（例えば、特許文献１参照）。
また、吸込口体本体の前壁に、床面に当接して本体前壁の下部を覆う可とう体が回動可能に取付けられ、また、可とう体の前側への回動を防止する補助片が設けられている（例えば、特許文献２参照）。
【０００３】
【特許文献１】特開平８−２０６０４３号公報（段落００１２〜００２２、図２、図３）
【特許文献２】特開平７−１６３４９５号公報（段落００２６〜００３９、図１）
【発明の開示】
【発明が解決しようとする課題】
【０００４】
上記従来の電気掃除機は、吸込口体本体を前進させると、シール部材前面に設けられた突起が床面に当接することにより、吸込口体前方を開口するため、大きなゴミを吸引し易い構造となっている。
しかしながら、特許文献１では吸込口体の前進時に吸込口体前方が開口するのに伴い、吸込口体内部の気圧が吸込口体前方の開口していない場合に比較して高くなるため、シール部材と床面間を通過する気流の風速が低下する。この風速低下により、ゴミの除去性能が低下するという課題があった。
また、確保する開口高さと同じ長さの突起がシール部材前面に突出するため、突起が家具等に引っかかり易くなるという課題があった。
【０００５】
また、特許文献２では、可とう体は可とう体上部あるいは中間部を回動中心として後方に回動する構成となっているため、吸込口体前方が開口すると、可とう体は後方に移動する。したがって、大きなゴミの吸引を可能とするだけの十分な開口高さを確保するためには、後方に可とう体の退避空間が必要であり、可とう体が後方の回転ブラシに干渉しないだけの間隔を確保した配置構成としなければならない。したがって、吸込口体本体の前後幅が広くなるという課題があった。
【０００６】
本発明は、これらの課題を解消するためになされたものであり、ゴミの除去性能が高く、絨毯上での操作が容易でコンパクトな吸込口体を備えた電気掃除機を得ることを目的とする。
【課題を解決するための手段】
【０００７】
本発明に係る電気掃除機は、吸込口体本体の底面に吸込口を有する吸込口体を備えた電気掃除機において、吸込口体本体の前側の下部に開口部を有する前壁と、この前壁の前面に、被清掃面またはゴミに当接することで被清掃面に対して斜め上方向あるいは上方向に移動可能とし、この移動により開口部を開閉するプレートと、を備え、プレートが斜め上方向あるいは上方向に移動したときに、プレートと前壁の間に空気流入開口部を形成し、該空気流入開口部から流入した空気を下方に向かうように構成している。
【発明の効果】
【０００８】
本発明によれば、吸込口体本体の前側の下部に開口部を有する前壁と、この前壁の前面に被清掃面またはゴミに当接することで前記被清掃面に対して斜め上方向あるいは上方向に移動可能とし、この移動により前記開口部を開閉するプレートとを備えたので、吸込口体本体を前進させて清掃するときに、床面（特に、絨毯）上のゴミを前方に押し出すことなく開口部に導くことができ清掃性がよく、かつ、吸込口体本体をコンパクトに形成することができる。
【発明を実施するための最良の形態】
【０００９】
実施の形態１．
図１から図６は本発明の実施の形態１に係る電気掃除機の吸込口体を示し、図１は前方斜視図、図２は側面断面図である。
図１、図２において、吸込口体１は、電気掃除機本体（図示せず）に吸引ホース（図示せず）および吸引パイプ（図示せず）を介して接続されるものであり、吸込口体本体２と、吸込口体本体２の後側に上下方向に回動自在に連結された上下回動連結部３と、前記上下回動連結部に左右方向に回動自在に連結されたパイプ連結部４とから構成される。
吸込口体本体２の底面には吸込口５が設けられ、電気掃除機本体運転時にブロワーモーター（図示せず）の発生する負の圧力により、空気は、吸込口５から上下回動連結部３とパイプ連結部内の風路を介して電気掃除機本体に吸引される。また、吸込口体１の前側には吸込口５の前壁を構成する板状部材としてのプレート６が設けられている。
【００１０】
吸込口体本体２には、前面から側面にかけて、壁や家具との衝突時の衝撃を和らげるためのゴム材で構成されるバンパー１３が設けられている。また、吸込口体本体２の底面前側下部および後側下部には、それぞれ一対の前記１４と後輪１５が設けられており、吸込口体１を床面１６に載置した際に、前輪１４および後輪１５により吸込口体本体２の底面と床面１６の間に隙間を構成している。
【００１１】
吸込口体本体２の吸込口５には、外周部に植毛を有する回転ブラシ１７が回転可能に設けられており、吸込口体本体２内部に設けられたモータ１８により駆動ベルト（図示せず）を介して回転し、床面１６を掃き取る。モータ１８を駆動するための電力は、吸引パイプの給電端子（図示せず）を介してモータ電源端子１９に供給される。
【００１２】
図３はプレートの前方斜視図、図４は吸込口体本体２のプレート６の取り付け部分の拡大斜視図、図５はプレート６が上方に移動した状態の前方斜視図である。
図３、図４において、プレート６は、下端に複数の矩形状の切り欠き部７を有する樹脂あるいはエラストマーからなる前面板部材である。プレート６の両端部には上下方向に長いガイド溝８が設けられている。
【００１３】
吸込口体本体２は、下部に開口部３３をと複数の凹部１１を有する前壁であるプレート受け１２が設けられている。また、吸込口体本体２の前方両端部には内側に向かって突出した支持ピン９が設けられており、この支持ピン９にプレート６のガイド溝８が遊嵌することによりプレート６が上下に移動可能な前壁として構成される。また、吸込口体本件２の前方両端部には支持ピン９の下部後方にプレート傾斜ガイド１０が設けられ、プレート６の上下移動する際に下端部をガイドする。このプレート傾斜ガイド１０により、プレート６の下端部が後方あるいは上方に向かう力を受けると、プレート６は下端部とプレート傾斜ガイド１０の接触点と支持ピン９によって決まる傾斜角度に傾斜しながら斜上方向に移動し、図５に示すように吸込口体本体２の前方下部が開口する。プレート６はプレート受け１２によってその後側が支えられている。
【００１４】
なお、プレート傾斜ガイド１０は、表面の摩擦抵抗を小さくする材料、例えば、ＡＢＳやナイロン等の樹脂やエラストマー等を用いることにより、プレート６の移動が確実となる。
【００１５】
次に、動作について図２、図４、図６により説明する。
図６は電気掃除機本体を運転し、吸込口体１を絨毯２０上で前進させた状態における側面断面図である。
図２に示すように、電気掃除機本体を運転し、吸込口体１を床面１６上で前後動作させた場合は、プレート６は床面１６との隙間から吸込口５に向かって空気が流入するが、プレート６が斜上方向に移動することはない。したがって、流入する空気の風速を低下させることなく塵埃を吸引することができる。図６に示すように、吸込口体１が絨毯２０上を前進するとプレート６の下端部は絨毯２０の繊維の抵抗により後方および上方に力を受ける。この力によりプレート６は下端部がプレート傾斜ガイド１０に沿って上方に向かい、支持ピン９とプレート傾斜ガイド１０によって決まる軌跡で傾斜しながら斜上方に移動する。
【００１６】
このとき、プレート６の下端部が上端部よりも後方に位置する向きに傾斜する。このプレート６の上方への移動と前方への傾斜に伴い、プレート６の上端部の背面が吸込口体本体２のプレート受け１２から離間することにより空気流入開口部２１が形成される。この空気流入開口部２１から流入する空気は矢印Ａに示すようにプレート６の後面とプレート受け１２との間から凹部１１（図４）を介して下方の吸込口５の前方に向かう。
【００１７】
絨毯２０上で吸込口体１が底面の吸込口５から空気を吸引すると、吸込口５は絨毯２０に吸い付くため、吸込口５の周囲の外部からの風路が狭くなる。したがって、吸込口体本体２内部の気圧がさらに低下し、吸込口５の絨毯２０への吸い付きがさらに強まる。吸込口体１が前進すると吸込口体本体２上部の空気流入開口部２１から空気が流入することにより、吸込口体本体２内部の気圧が低減するため、吸込口５の絨毯２０への吸い付きが緩和される。したがって、絨毯２０上での操作が容易になる。
なお、吸込口体１の底面の吸込口５からの流入風速を著しく低下させないように、空気流入開口部２１は適切な大きさとする。
【００１８】
また、プレート６の下端部が前進に伴い絨毯２０の繊維を前方に倒す際に形成される絨毯２０の繊維間の空間２２に空気流入開口部２１からの空気が当たることにより、絨毯２０の根元に入り込んだ塵埃などの除去性能が高くなる。このとき、回転ブラシ１７はプレート６の絨毯２０の繊維の前方への倒し効果に加え、繊維を後方へ戻すことにより絨毯２０の繊維の空間２２を広げる効果を奏する。ここで、プレート６は絨毯２０の繊維の空間２２の形成に効果が高いため、本実施の形態のごとく回転ブラシ１７を備えた吸込口体でなくともよい。
【００１９】
以上のように、吸込口体本体２の前側の下部に開口部３３を有するプレート受け１２と、このプレート受け１２の前面に、被清掃面またはゴミに当接することで被清掃面に対して略垂直方向に移動可能とし、この移動により開口部３３を開閉するプレート６とを備えたので、吸込口体本体２を前進させて清掃するときに、床面（特に、絨毯）上のゴミを前方に押し出すことなく開口部３３に導くことができ清掃性がよく、かつ、吸込口体本体をコンパクトに形成することができる。
また、プレート６が斜上方向に移動したときに、プレート６の背面とプレート受け１２の間に空気を流入する空気流入開口部２１が形成されるようにしたので、空気流入開口部２１から流入した空気により、吸込口体本体２内部の気圧が低減するため、吸込口５の絨毯２０への吸い付きが緩和され、絨毯２０上での操作を容易にすることができる。
【００２０】
また、絨毯２０の繊維間の空間２２に空気流入開口部２１からの空気が当たることにより、絨毯２０の根元に入り込んだ塵埃などの除去性能を高くすることができる。
また、プレート６の両側面に設けられた縦長状のガイド溝８と、吸込口体本体２の両側壁の前端部内側に設けられ、プレート６のガイド溝８に遊嵌される支持ピン９と、を備えたので、簡単な構成により、プレートを上方向に移動させることができる。
また、プレート６の前面下部に前方から加わった力を受けてプレート６を傾斜させるように作用するプレート傾斜ガイド１０を、吸込口体本体２の両側壁の前端部内側に備えたので、簡単な構成により、プレートを斜上方向に移動させることができる。
また、プレート傾斜ガイド１０は表面が摩擦抵抗の小さい材料で構成されているので、移動時の動作が確実になるとともに、吸込口体１の移動が容易となる。
【００２１】
また、空気流入開口部２１は、プレート６が斜上方向に移動したときに、プレート６の上端部の背面が吸込口体本体２の前壁であるプレート受け１２から離間することにより形成され、空気流入開口部２１から流入した空気が下方に向かうようにしたので、空気流入開口部から流入した空気により、吸込口体本体２内部の気圧が低減するため、吸込口５の絨毯２０への吸い付きが緩和され、絨毯２０上での操作を容易にすることができる。
また、絨毯２０の繊維間の空間２２に空気流入開口部２１からの空気が当たることにより、絨毯２０の根元に入り込んだ塵埃などの除去性能を高くすることができる。
【００２２】
また、吸込口体１の底面の吸込口５に臨んで回転自在に内装された回転ブラシ１７を備えたので、プレート６の絨毯２０の繊維の前方への倒し効果に加え、回転ブラシ１７により繊維を後方へ戻すことにより絨毯２０の繊維の空間２２を広げることができる。
なお、本実施の形態１ではプレート６の両端部にガイド溝８を設け、吸込口体本体２側に支持ピン９を設けた構成としているが、これらの嵌合方法は本構成に限ったものでなく、プレート６側に支持ピンを設け、吸込口本体側にガイド溝を設けた構成としてもよい。
【００２３】
実施の形態２．
図７〜図１１は本発明の実施の形態２に係る電気掃除機の吸込口体を示し、図７は側面断面図、図８は吸込口体本体２のプレートの取り付け部分の拡大斜視図、図９はプレートの前方斜視図、図１０はプレートが上方に移動した状態の前方斜視図である。
なお、図７〜図１１において、図１〜図６に示した実施の形態１と同一部分または相当する部分には同一符号を付し説明を省略する。
図７において、実施の形態２は、実施の形態１の図２に示した吸込口体本体２に代えて吸込口体本体２３を設け、プレート６に代えてプレート２５を設けたもので、その他の構成は実施の形態１と同様である。
【００２４】
ここで、吸込口体本体２３は、前方に床面から約１０ｍｍ程度の開口部３３を有する前壁２４が設けられており、図８に示すように前壁２４は、前壁基部３４と、前壁基部３４の前面から下方に延設された複数のバー３５からなるくし状のプレートガイド３６から構成される。また、前壁２４の前方両端部には内側に突出した支持ピン９が設けられている。
プレート２５は図９に示すように板状部材２６と基材２７とを合わせたものであり、板状部材２６は下端部に後方に屈曲した屈曲部２８と切り欠き部７を備え、基材２７は上部に後方に張り出したシール部２９を備える。
【００２５】
基材２７は両端部に支持ピン９に嵌合するガイド溝８を備えており、プレート２５は図１０に示すように吸込口体本体２３の前壁２４に沿って上下方向に移動可能である。
次に、動作について図７、図８、図１１により説明する。
図１１は図７および図１０とは異なる位置の断面であり、前壁基部３４にバー３５がない部分の側面断面図であり、実施の形態１における図６と同様に絨毯２０上で吸込口体１を前進させた状態における側面断面図である。
【００２６】
図７に示すように、電気掃除機本体を運転し、吸込口体１を床面１６上で前後動作させた場合は、プレート２５は床面１６との隙間から吸込口５に向かって空気が流入するが、プレート２５が上方向に移動することはない。したがって、流入する空気の風速を低下させることなく塵埃を吸引することができる。
また、図１１に示すように、吸込口体１が絨毯２０上を前進すると屈曲部２８が絨毯２０の繊維の抵抗により後方および上方に力を受ける。このとき、プレート２５は前壁２４によって後方へ移動できないため、ガイド溝８に遊嵌された支持ピン９により上方に移動する。
【００２７】
そして、プレート２５の上方向への移動に伴いシール部２９が前壁２４上部から離れることにより、空気流入開口部３１が形成される。この空気流入開口部３１から流入する空気は矢印Ｂに示すようにプレートガイド３６のバー３５の間の前壁基部３４プレート２５の背面により形成された空気孔３０を介して下方に向かう。
そして、実施の形態１と同様に、吸込口体１が前進すると吸込口体本体２３上部の空気流入開口部２１から空気が流入することにより、吸込口体本体２３内部の気圧が低減するため、吸込口５の絨毯２０への吸い付きが緩和され、絨毯２０上での操作が容易になる。
また、プレート２５の下端部が前進に伴い絨毯２０の繊維を前方に倒す際に形成される絨毯２０の繊維間の空間２２に空気流入開口部３１からの空気が当たることにより、絨毯２０の根元に入り込んだ塵埃などの除去性能が高くなる。
【００２８】
以上のように、吸込口体本体２３の前側の下部に開口部３３を有する前壁２４と、この前壁２４の前面に上下方向に移動可能に設けられ、開口部３３を開閉するプレート２５とを備え、プレート２５が上方向に移動したときに、プレート２５の背面と前壁２４の間に空気を流入する空気流入開口部３１が形成されるようにしたので、空気流入開口部３１から流入した空気により、吸込口体本体２３内部の気圧が低減するため、吸込口５の絨毯２０への吸い付きが緩和され、絨毯２０上での操作を容易にすることができる。
【００２９】
また、絨毯２０の繊維間の空間２２に空気流入開口部３１からの空気が当たることにより、絨毯２０の根元に入り込んだ塵埃などの除去性能を高くすることができる。
また、プレート２５の下部に前方から加わった力を受けてプレート２５を上方へ移動させるように作用する屈曲部２８を、プレート２５の下部に備えたので、簡単な構成により、プレート２５を上方向に移動させることができる。
【００３０】
また、吸込口体本体２３の前壁２４は、前壁基部３４と、この前壁基部３４の前面から下方に延設された複数のバー３５からなるくし状のプレートガイド３６を備え、プレート２５は、上端部に後方に張り出したシール部２９を備え、空気流入開口部３１は、プレート２５がプレートガイド３６に沿って上方に移動したときに、プレート２５のシール部２９が前壁２４上部から離間することにより形成され、空気流入開口部３１から流入した空気が、プレートガイド３６とプレート２５により形成された空気孔３０を介して下方の吸込口５に向かうようにしたので、空気流入開口部３１から流入した空気により、吸込口体本体２３内部の気圧が低減するため、吸込口５の絨毯２０への吸い付きが緩和され、絨毯２０上での操作を容易にすることができる。
【００３１】
また、絨毯２０の繊維間の空間２２に空気流入開口部３１からの空気が当たることにより、絨毯２０の根元に入り込んだ塵埃などの除去性能を高くすることができる。
なお、プレート２５は前壁２４のプレートガイド３６に摺動しながら上下移動する構成であるため、動作を確実にするためにそれぞれ摩擦係数の小さい材料を使用することが望ましい。
【００３２】
なお、本実施の形態では、前壁２４が前壁基部３４と、前壁基部３４の前面から下方に延設された複数のバー３５からなるくし状のプレートガイド３６から構成されるものを示したが、バー３５を前壁基部３４の両端に１個ずつ設けたものでもよい。また、バー３５からなるプレートガイド３６の代わりに、支持ピン９を２個ずつ設け、プレート６を上下にガイドするようにして前壁基部３４に空気孔を設けたものでもよい。
【図面の簡単な説明】
【００３３】
【図１】本発明の実施の形態１に係る電気掃除機の吸込口体の前方斜視図である。
【図２】本発明の実施の形態１に係る電気掃除機の吸込口体の側面断面図である。
【図３】本発明の実施の形態１に係る電気掃除機の吸込口体のプレートの前方斜視図である。
【図４】本発明の実施の形態１に係る電気掃除機の吸込口体のプレートの取り付け部分の拡大斜視図である。
【図５】本発明の実施の形態１に係る電気掃除機の吸込口体のプレートの上方移動時の前方斜視図である。
【図６】本発明の実施の形態１に係る電気掃除機の吸込口体を絨毯上で前進させた状態における側面断面図である。
【図７】本発明の実施の形態２に係る電気掃除機の吸込口体の側面断面図である。
【図８】本発明の実施の形態２に係る電気掃除機の吸込口体のプレートの取り付け部分の拡大斜視図である。
【図９】本発明の実施の形態２に係る電気掃除機の吸込口体のプレートの前方斜視図である。
【図１０】本発明の実施の形態２に係る電気掃除機の吸込口体のプレートの上方移動時の側面断面図である。
【図１１】本発明の実施の形態２に係る電気掃除機の吸込口体を絨毯上で前進せた状態における側面断面図である。
【符号の説明】
【００３４】
１  吸込口体、２  吸込口体本体、５  吸込口、６  プレート、７  切り欠き部、８  ガイド溝、９  支持ピン、１０  プレート傾斜ガイド、１１  凹部、１２  プレート受け、１７  回転ブラシ、２０  絨毯、２１ 空気流入開口部、２２  空間、２３  吸込口体本体、２４  前壁、２５  プレート、２６  板状部材、２７  基材、２８  屈曲部、２９  シール部、３０  空気孔、３１  空気流入開口部、３３ 開口部、３４ 前壁基部、３５ バー、 ３６ プレートガイド。
【図１】
0004537274.tif 000002
【図２】
0004537274.tif 000003
【図３】
0004537274.tif 000004
【図４】
0004537274.tif 000005
【図５】
0004537274.tif 000006
【図６】
0004537274.tif 000007
【図７】
0004537274.tif 000008
【図８】
0004537274.tif 000009
【図９】
0004537274.tif 000010
【図１０】
0004537274.tif 000011
【図１１】
0004537274.tif 000012